(57)【要約】      （修正有）【課題】マスクを入れ易く、衛生的で、安価に製造可能なマスクケースを提供する。【解決手段】表面に、文字、図形、記号のいずれか又はこれらの組み合わせの広告用の情報１０ａが設けられた長方形状の紙であるシート１０と、シート１０の表面と裏面の全面に、抗菌性を有するワニスをコーティングすることで形成されている抗菌部１１と、シート１０の長手方向の中央線１０ｂを所定の距離ｄ１だけシート１０の長手方向の一方の端部１０ｃに平行移動した特定の線１０ｄで折り曲げることで形成され、シート１０を、上面シート１０ｅと、シート１０の長手方向の他方の端部１０ｆの近傍を突出させた下面シート１０ｇとを重ね合わせた構成の折り曲げ部１２と、折り曲げ部１２に隣接する上面シート１０ｅの下方の端部１０ｈの近傍と下面シート１０ｇの下方の端部１０ｉの近傍とを接着することで形成される接着部１３と、からなる。【選択図】図１
0003227255.tif 000002
【実用新案登録請求の範囲】
【請求項１】
表面に、文字、図形、記号のいずれか又はこれらの組み合わせの広告用の情報が設けられた長方形状の紙のシートと、
前記シートの表面と裏面の全面に、抗菌性を有するワニスをコーティングすることで形成された抗菌部と、
前記シートの長手方向の中央線を所定の距離だけ前記シートの長手方向の一方の端部に平行移動した特定の線で折り曲げることで形成され、前記シートを、上面シートと、前記シートの長手方向の他方の端部の近傍を突出させた下面シートとを重ね合わせた構成にする折り曲げ部と、
前記折り曲げ部に隣接する前記上面シートの下方の端部の近傍と前記下面シートの下方の端部の近傍とを接着することで形成された接着部と、
を備えるマスクケース。
【考案の詳細な説明】
【技術分野】
【０００１】
本考案は、マスクケースに関する。
【背景技術】
【０００２】
ユーザーが、使用後のマスクを机に置いたり、ポケットに入れたり、かばんに入れたりすると、衛生面で心理的に抵抗が生じることから、使用後のマスクを簡単に収納するマスクケースが開発されている。
【０００３】
例えば、実用新案登録第３１５８３１７号公報（特許文献１）には、抗菌性の樹脂製シートを中央部で折り曲げて重ね合わせ、この折り曲げ部に隣接する少なくとも一方の辺を溶着して、マスク収納部を形成し、溶着されていない辺をマスクの出入口としたマスクケースが開示されている。これにより、ポリプロピレンなどの樹脂製シートを素材としているので、表面光沢性、透明性等にすぐれており、見栄えがよく、また製造も簡便なので比較的安価に提供できるとしている。又、樹脂製シートの内部に抗菌剤が混練されているか、又は表面に抗菌剤が塗布されているので、たとえ細菌が付着しても増殖が抑制されるので衛生的であるとしている。さらにまた、マスクケースの素材として、ポリプロピレンシートのような比較的硬質のものを用いることで、端部開口の開閉や容易なものとなり、マスクの収納、取り出しを瞬時に行うことができるとしている。さらに、底部の溶着部に直接力が作用しないようにして、破れにくくするための切り欠き部を有し、その位置から底辺に至る下方の部分も溶着するか、あるいは、抗菌性の樹脂製シートを中央部で折り曲げて重ね合わせ、この折り曲げ部に隣接する上辺、底辺をそれぞれ溶着してマスク収納部とすることで、ティッシュなどの携行品も収納することができるとしている。
【０００４】
又、実用新案登録第３２２２１０３号公報（特許文献２）には、マスクを見栄えよく、かつ衛生的に収容するためのマスクケースが開示されている。このマスクケースは、折り畳まれることによりマスクの本体部を挟み込む、抗菌性を有する紙製の保護シートと、折り畳まれることによりマスクの本体部および保護シートを挟み込む、保護シートよりも厚手の紙製の内側シートと、折り畳まれることによりマスクの本体部および保護シートを挟み込んだ内側シートを収容する紙製の外側シートと、を備える。これにより、未使用の、または使いかけのマスクを見栄えよく、かつ衛生的に収容することができるとしている。
【先行技術文献】
【特許文献】
【０００５】
【特許文献１】実用新案登録第３１５８３１７号公報
【特許文献２】実用新案登録第３２２２１０３号公報
【考案の概要】
【考案が解決しようとする課題】
【０００６】
しかしながら、特許文献１に記載の技術では、抗菌性の樹脂シートを用いているため、マスクケースがコスト高になるという課題がある。又、特許文献１に記載の技術では、マスクの出入口となる溶着されていない辺が重なっているため、マスクを入れ難いという課題がある。
【０００７】
又、特許文献２に記載の技術では、内側シートと外側シートとが接続された一辺の他の三辺は開放されているため、内側シートと外側シートとで折り畳んでマスクの本体部を収容した後に、何らかの理由で内側シートが外側シートから開いて、マスクの本体部が外に出てしまうという課題がある。
【０００８】
そこで、本考案は、上述の課題を解決するためになされたものであり、マスクを入れ易く、衛生的で、安価に製造可能で、宣伝広告に用いることが可能なマスクケースを提供することを目的とする。
【課題を解決するための手段】
【０００９】
本考案に係るマスクケースは、シートと、抗菌部と、折り曲げ部と、接着部と、を備える。シートは、表面に、文字、図形、記号のいずれか又はこれらの組み合わせの広告用の情報が設けられた長方形状の紙である。抗菌部は、前記シートの表面と裏面の全面に、抗菌性を有するワニスをコーティングすることで形成されている。折り曲げ部は、前記シートの長手方向の中央線を所定の距離だけ前記シートの長手方向の一方の端部に平行移動した特定の線で折り曲げることで形成され、前記シートを、上面シートと、前記シートの長手方向の他方の端部の近傍を突出させた下面シートとを重ね合わせた構成にする。接着部は、前記折り曲げ部に隣接する前記上面シートの下方の端部の近傍と前記下面シートの下方の端部の近傍とを接着することで形成されている。
【考案の効果】
【００１０】
本考案によれば、マスクを入れ易く、衛生的で、安価に製造可能で、宣伝広告に用いることが可能となる。
【図面の簡単な説明】
【００１１】
【図１】本考案に係るマスクケースを構成するシート全体の正面図と、マスクケースの構成を示す正面図と、である。
【図２】本考案に係るマスクケースの上面シートと下面シートとの間に手を入れた場合の斜視図（図２Ａ）と、本考案に係るマスクケースの上面シートと下面シートとの間を開いた場合の斜視図（図２Ｂ）と、である。
【図３】本考案に係るマスクケースの上面シートと下面シートとの間にマスクを入れる場合の斜視図（図３Ａ）と、本考案に係るマスクケースの上面シートと下面シートとの間にマスクを入れた場合の斜視図（図３Ｂ）と、である。
【考案を実施するための形態】
【００１２】
以下に、添付図面を参照して、本考案の実施形態について説明し、本考案の理解に供する。尚、以下の実施形態は、本考案を具体化した一例であって、本考案の技術的範囲を限定する性格のものではない。
【００１３】
本考案に係るマスクケース１は、図１に示すように、シート１０と、抗菌部１１と、折り曲げ部１２と、接着部１３と、を備える。
【００１４】
シート１０は、表面に、文字、図形、記号のいずれか又はこれらの組み合わせの広告用の情報１０ａが設けられた長方形状の紙である。
【００１５】
抗菌部１１は、シート１０の表面と裏面の全面に、抗菌性を有するワニスをコーティングすることで形成されている。
【００１６】
折り曲げ部１２は、シート１０の長手方向の中央線１０ｂを所定の距離ｄ１だけシート１０の長手方向の一方の端部１０ｃに平行移動した特定の線１０ｄで折り曲げることで形成され、シート１０を、上面シート１０ｅと、シート１０の長手方向の他方の端部１０ｆの近傍を突出させた下面シート１０ｇとを重ね合わせた構成にする。
【００１７】
接着部１３は、折り曲げ部１２に隣接する上面シート１０ｅの下方の端部１０ｈの近傍と下面シート１０ｇの下方の端部１０ｉの近傍とを接着することで形成される。
【００１８】
これにより、マスクを入れ易く、衛生的で、安価に製造可能で、宣伝広告に用いることが可能となる。
【００１９】
即ち、図２Ａに示すように、下面シート１０ｇの一方の端部であるシート１０の長手方向の他方の端部１０ｆの近傍が上面シート１０ｅから突出しているため、ユーザーが、上面シート１０ｅと下面シート１０ｇとの間に指を入れ易くなり、図２Ｂに示すように、マスクケース１の出入口を開き易くすることが可能となる。そのため、ユーザーは、使用後のマスクをマスクケース１に簡単に収納することが可能となる。
【００２０】
又、図３Ａに示すように、ユーザーが、使用後のマスクＭをマスクケース１に入れると、図３Ｂに示すように、使用後のマスクＭは、上面シート１０ｅと下面シート１０ｇとの間に挟まれた状態で収納される。ここで、抗菌部１１はシート１０の全面に設けられており、上面シート１０ｅと下面シート１０ｇとにも抗菌部１１が設けられている。そのため、使用後のマスクＭは、抗菌部１１の間に挟まれた状態となり、使用後のマスクＭでの雑菌の繁殖を抑制し、使用後のマスクＭを衛生的に一時保存することが可能となる。
【００２１】
更に、マスクケース１は、抗菌性のワニスをコーティングした紙製のシート１０を折り曲げて下方の端部の近傍を接着して構成していることから、上面シート１０ｅと下面シート１０ｇとを重ね合わせた状態で、Ｌ字状に接続している単純な構成である。そのため、極めて安価に製造することが可能となり、使い捨ての商品として提供することが出来る。
【００２２】
そして、マスクケース１には、広告用の情報１０ａが設けられていることから、ユーザーに対して宣伝広告の効果を得ることが可能となる。広告用の情報１０ａに商品紹介や感染症予防の取組等を記載することで、ユーザーに、様々な情報を訴求することが可能となる。
【００２３】
このように、ユーザーは、マスクを装着中に、飲食等によりマスクを取り外す必要が生じると、一時的にマスクをマスクケース１に収納し、衛生的にマスクを一時保存することが可能となる。再度、マスクを利用する場合は、ユーザーは、マスクケース１からマスクを取り出して装着すれば、マスクを繰り返し利用することが可能となる。
【００２４】
ここで、マスクケース１の提供方法に特に限定は無く、例えば、複数のマスクケース１をラックに収容し、飲食店、ホテル、美容院、理髪店、病院、歯科、鍼灸院、喫煙所等の様々な場所のカウンターやレジに設置することで、マスクケース１を販促品として提供することが出来る。
【００２５】
又、シート１０と抗菌部１１との構成に特に限定は無い。例えば、シート１０は、広告用の情報１０ａが印刷され、その後に、シート１０の全面に抗菌性のワニスがコーティングされると、好ましい。ワニスのコーティングにより、シート１０に光沢が生じ、見た目を向上させる。
【００２６】
又、広告用の情報１０ａに特に限定は無いが、例えば、図１に示すように、「ＡＢＣＤＥＦＧ」の文字や会社名、商号、名称、住所、電話番号、ファクシミリ番号、ホームページのアドレス、商品紹介、感染症予防の取り組み等でも良いし、写真や地図などの図形でも良いし、商標やロゴなどでも構わない。
【００２７】
又、抗菌部１１のワニスの種類に特に限定は無いが、例えば、有機系抗菌剤や無機系抗菌剤が添加されたワニスを挙げることが出来る。
【００２８】
又、折り曲げ部１２の所定の距離ｄ１に特に限定は無いが、所定の距離ｄ１の２倍は、下面シート１０ｇにおけるシート１０の長手方向の他方の端部１０ｆの突出長さに相当するため、ユーザーの指がマスクケース１の上面シート１０ｅと下面シート１０ｇとの間に入れ易くなるように、適宜設計される。
【００２９】
又、接着部１３の形成方法に特に限定は無いが、例えば、糊による接着、ヒータによる加熱接着等を挙げることが出来る。
【００３０】
又、接着部１３の形成位置に特に限定は無いが、例えば、上面シート１０ｅの下方の端部１０ｈ及び下面シート１０ｇの下方の端部１０ｉから所定の距離ｄ２だけ離れた位置に形成することが出来る。又、接着部１３は、上面シート１０ｅの下方の端部１０ｈ及び下面シート１０ｇの下方の端部１０ｉに形成しても構わない。
【００３１】
又、本考案に係るマスクケース１は、更に、他の機能が追加されても構わない。
【産業上の利用可能性】
【００３２】
以上のように、本考案に係るマスクケースは、風邪、新型インフルエンザ、新型コロナ、花粉症、塵埃等の予防・遮断・対策用マスクを、簡単に、且つ、衛生的に収納するマスクケースに有用であり、マスクを入れ易く、衛生的で、安価に製造可能で、宣伝広告に用いることが可能なマスクケースとして有効である。
【符号の説明】
【００３３】
１  マスクケース
１０  シート
１１  抗菌部
１２  折り曲げ部
１３  接着部
【図１】
0003227255.tif 000003
【図２】
0003227255.tif 000004
【図３】
0003227255.tif 000005